(57)【要約】【課題】回転変形を維持した状態のスプリング等の付勢手段を開閉シャッタに容易に装着して本体に確実に取り付ける実装構造および取付方法を提供する。【解決手段】開閉シャッタ１０は、回転軸の端部１１ａ、１１ｂに設けられた引掛突起部１３および押圧部１２を有し、第１端部２１および第２端部２２により回転変形可能な付勢手段２０が回転軸に摺動可能に挿入され、第１端部２１を引掛突起部１３に引っ掛け、第２端部２２を押圧部１２に突き当てることで回転変形させた状態が維持され、本体３０は開閉シャッタ１０を回転自在に支持する支持部３２ａ、３２ｂと、付勢手段２０を摺動させて第１端部２１が引掛突起部材１３から外れると回転復元力により第１端部２１が突き当たる突当部３３と、を有する。【選択図】図１
2010262956.tif 000002
【特許請求の範囲】
【請求項１】
カード機器を本体に出し入れするための開口部を内側から開閉可能に塞ぐ開閉シャッタの実装構造であって、
前記開閉シャッタは、回転軸と、前記回転軸の端部に設けられた引掛突起部および押圧部と、を有し、第１端部および第２端部により回転変形可能な付勢手段が前記回転軸に摺動可能に挿入され、前記第１端部を前記引掛突起部に引っ掛け、前記第２端部を前記押圧部に突き当てることで回転変形させた状態が維持され、
前記本体は、前記付勢手段を装着した前記開閉シャッタの前記回転軸の両端を回転自在に支持する支持部と、前記付勢手段を摺動させて前記第１端部が前記引掛突起部材から外れると前記付勢手段の回転復元力により当該第１端部が突き当たる突当部と、を有する、
ことを特徴とする開閉シャッタの実装構造。
【請求項２】
前記引掛突起部および前記押圧部は互いに前記回転軸の反対方向に設けられ、前記押圧部と前記回転軸との間には少なくとも前記付勢手段を挿入可能な隙間が形成され、前記引掛突起部と前記回転軸との間には前記付勢手段の前記第１端部を引っ掛けるための切り欠き部が形成されていることを特徴とする請求項１に記載の開閉シャッタの実装構造。
【請求項３】
前記開閉シャッタが前記支持部に装着されるときに、前記開閉シャッタが前記支持部に近づくに従って、前記開閉シャッタに装着された付勢手段を前記第１端部が前記引掛突起部から外れる方向に自動的に摺動させる引掛解除部材を前記本体に設けたことを特徴とする請求項１または２に記載の開閉シャッタの実装構造。
【請求項４】
前記引掛解除部材には、前記付勢手段に当接して摺動させる傾斜部が形成されていることを特徴とする請求項３に記載の開閉シャッタの実装構造。
【請求項５】
前記支持部は前記回転軸を一方向から受け入れるＵ字型軸受け部を有することを特徴とする請求項１−４のいずれか１項に記載の開閉シャッタの実装構造。
【請求項６】
カード機器を本体に出し入れするための開口部を内側から開閉可能に塞ぐ開閉シャッタを本体ケースに取り付ける方法であって、
前記開閉シャッタは、回転軸と、前記回転軸の端部に設けられた引掛突起部および押圧部と、を有し、前記本体は、前記開閉シャッタの前記回転軸の両端を回転自在に支持する支持部と、突当部と、を有し、
第１端部および第２端部により回転変形可能な付勢手段が前記回転軸に摺動可能に挿入され、前記第１端部を前記引掛突起部に引っ掛け、前記第２端部を前記押圧部に突き当てることで回転変形させた状態が維持され、
前記付勢手段が装着された開閉シャッタを前記支持部に装着し、
前記第１端部を前記引掛突起部材から外して前記突当部に当接させるために前記付勢手段を摺動させる、
ことを特徴とする開閉シャッタ取付方法。
【請求項７】
前記本体は引掛解除部材を更に有し、
前記開閉シャッタが前記支持部に装着されるときに、前記開閉シャッタが前記支持部に近づくに従って、前記付勢手段が前記引掛解除部材に当接し前記開閉シャッタに装着された付勢手段を前記第１端部が前記引掛突起部から外れる方向に自動的に摺動させることを特徴とする請求項６に記載の開閉シャッタ取付方法。
【発明の詳細な説明】
【技術分野】
【０００１】
本発明はカード型電子装置の挿入口のシャッタ開閉機構に係り、特に開閉シャッタの実装に適した構造およびその取付方法に関する。
【背景技術】
【０００２】
メモリカードやＩＣカードなどのカード型電子装置の普及に伴い、多くの通信機器（モデムやルータなど）にはカード型電子装置を接続するためのカードスロットが搭載されている。このようなカードスロットの挿入口には開閉シャッタが設けられ、カード型電子装置を引き抜いたときにバネの付勢力により自動的にシャッタが閉じるように構成されているものがある。このような開閉シャッタは構造が複雑であり、特にカードが小型化するに伴って組立が困難になる。そこで構造および組立の簡単化を狙った技術が種々提案されている。
【０００３】
たとえば、特許文献１に開示されたカード接続装置の取付構造では、開閉扉の軸を操作パネルの軸受け溝と装置フレームの押さえ部材で回動可能に挟むことで組立を容易にしている。開閉扉は、その軸に通されたつる巻バネの付勢力により閉じる方向に付勢される（図５、段落００１０、００１３参照）。
【０００４】
また、カード型電子装置ではないが、特許文献２には、テープカセットやディスクのプレーヤに搭載される開閉ドア装置が開示されている。特に、２つの腕部が延びたトーションバネは、ドアの回転軸に挿入されることで２つの腕部がドアの付勢片を弾性的に挟み、さらに付勢片からドアの回転軸方向に突出した状態で装着される。さらに、トーションバネを装着したドアは、その回転軸を支持部の軸受け穴に挿入すると共に、付勢片から突出した２つの腕部が支持部を挟んで対抗するように実装される（図３、図４、段落００２７−００３０参照）。
【先行技術文献】
【特許文献】
【０００５】
【特許文献１】特開２００５−１９６３０９号公報
【特許文献２】特開２０００−３３１４７０号公報
【発明の概要】
【発明が解決しようとする課題】
【０００６】
特許文献１に開示された取り付け構造では、つる巻バネの装着方法が言及されていないが、つる巻バネをそのまま開閉扉の軸に通して軸受け溝に挟み込むのであれば、つる巻バネは固定されていないので組み込み時に脱落する可能性がある。また、つる巻バネは付勢力が発生しない状態で取り付けられるので、開閉扉が回転したときに初めて付勢力が発生する。このために開閉扉が閉じた状態では固定されておらず開閉扉が不安定に揺れる状態となる。
【０００７】
特許文献２に開示された開閉ドア装置では、トーションバネの２つの腕部がドアの付勢片を弾性的に挟むことで固定されるが、支持部も同様に挟むだけであるために、ドアが回転しない限りドアに対する付勢力は発生しない。さらに、特許文献２の構造では、ドアの回転軸を支持部の軸受け穴に挿入する際に、トーションバネの突出した２つの腕部の間に支持部を挟むようにして取り付ける必要があり、位置合わせなどの組立工程が煩雑になるという難点がある。
【０００８】
しかしながら、ドアが閉じた状態で安定させるためには、つる巻バネあるいはトーションバネをねじって付勢力を発生させた状態で取り付ける必要があり、装着する際にバネが自らの付勢力によって飛び出す可能性も高くなる。このために、組立に時間を要したり工数が増大したりと組立作業が非効率となる。このような回転変形を維持した状態のバネを開閉ドアに装着し本体に確実に取り付ける方法あるいは構造は、上記特許文献には教示されていない。
【０００９】
そこで本発明の目的は、回転変形を維持した状態のスプリング等の付勢手段を開閉シャッタに容易に装着して本体に確実に取り付ける実装構造および取付方法を提供することにある。
【課題を解決するための手段】
【００１０】
本発明による開閉シャッタの実装構造は、カード機器を本体に出し入れするための開口部を内側から開閉可能に塞ぐ開閉シャッタの実装構造であって、前記開閉シャッタは、回転軸と、前記回転軸の端部に設けられた引掛突起部および押圧部と、を有し、第１端部および第２端部により回転変形可能な付勢手段が前記回転軸に摺動可能に挿入され、前記第１端部を前記引掛突起部に引っ掛け、前記第２端部を前記押圧部に突き当てることで回転変形させた状態が維持され、前記本体は、前記付勢手段を装着した前記開閉シャッタの前記回転軸の両端を回転自在に支持する支持部と、前記付勢手段を摺動させて前記第１端部が前記引掛突起部材から外れると前記付勢手段の回転復元力により当該第１端部が突き当たる突当部と、を有することを特徴とする。
【００１１】
本発明による開閉シャッタ取付方法は、カード機器を本体に出し入れするための開口部を内側から開閉可能に塞ぐ開閉シャッタを本体ケースに取り付ける方法であって、前記開閉シャッタは、回転軸と、前記回転軸の端部に設けられた引掛突起部および押圧部と、を有し、前記本体は、前記開閉シャッタの前記回転軸の両端を回転自在に支持する支持部と、突当部と、を有し、第１端部および第２端部により回転変形可能な付勢手段が前記回転軸に摺動可能に挿入され、前記第１端部を前記引掛突起部に引っ掛け、前記第２端部を前記押圧部に突き当てることで回転変形させた状態が維持され、前記付勢手段が装着された開閉シャッタを前記支持部に装着し、前記第１端部を前記引掛突起部材から外して前記突当部に当接させるために前記付勢手段を摺動させることを特徴とする。
【発明の効果】
【００１２】
本発明によれば、回転変形を維持した状態のスプリング等の付勢手段を開閉シャッタに容易に装着して本体に確実に取り付けることができる。
【図面の簡単な説明】
【００１３】
【図１】本発明の第１実施形態による開閉シャッタ実装構造を示す開閉シャッタおよびその取付本体部分の分解斜視図である。
【図２】第１実施形態による開閉シャッタ実装構造のスプリング取付を説明するためのスプリングおよび開閉シャッタの部分拡大斜視図である。
【図３】第１実施形態による開閉シャッタを本体に組み付けた後のスプリング設定操作を説明するための開閉シャッタの斜視図である。
【図４】（Ａ）は本発明の第２実施形態による開閉シャッタ実装構造の本体側支持構造の一部を示す斜視図、（Ｂ）は第２実施形態におけるスプリング設定操作を説明するための開閉シャッタ実装構造を示す部分拡大図、（Ｃ）は第２実施形態におけるスプリング設定後の開閉シャッタ実装構造を示す部分拡大図である。
【図５】本発明の第３実施形態による開閉シャッタ実装構造のスプリング取付を説明するためのスプリングおよび開閉シャッタの部分拡大斜視図である。
【図６】本発明の第４実施形態による開閉シャッタ実装構造の部分拡大斜視図である。
【図７】（Ａ）は本発明の第５実施形態による開閉シャッタの斜視図、（Ｂ）はスプリングと回転軸との位置関係を示す断面図、（Ｃ）はスプリングのスライド方法を説明するためのスプリングと回転軸との位置関係を示す断面図である。
【図８】（Ａ）は本発明による開閉シャッタを実装した通信機器の外観を示す斜視図、（Ｂ）はその概略的断面構図である。
【図９】本発明による開閉シャッタを実装した通信機器のカード挿入穴部分の断面構図である。
【発明を実施するための形態】
【００１４】
１．第１実施形態
図１および図２において、開閉シャッタ実装構造は、開閉シャッタ１０と、開閉シャッタ１０に付勢力を与えるための付勢手段であるコイル状のスプリング２０と、スプリング２０を装着した開平シャッタ１０を回転自在に組み付ける本体ケース３０と、からなる。
【００１５】
開閉シャッタ１０の回転軸の両端には、径φａの回転軸端部１１ａおよび１１ｂが軸方向に突出して形成されており、回転軸端部１１ａの長さはＬ２、回転軸端部１１ｂの長さはＬ１である（Ｌ２＞Ｌ１）。回転軸端部１１ａの下方にはシャッタの延長としての押圧部１２が形成され、回転軸１１ａの上方には引掛突起部１３がシャッタ回転軸に固定されている。押圧部１２は引掛突起部１３よりも回転軸方向に長く延びている。また、押圧部１２の端部にはスプリング２０を係止するための係止突起部１４が形成されている。
【００１６】
スプリング２０はコイル状のトーションバネであり、円筒部の径は開閉シャッタ１０の回転軸径φａより若干大きく形成されている。スプリング２０は、図２に示すように、突出したスプリング端部２１および２２を用いて回転変形（ここでは１８０°の回転変形）させることができ、これによって反対方向に回転復元力（付勢力）ｆを生じさせることができる。スプリング２０の円筒部を開閉シャッタ１０の回転軸端部１１ａに挿入してスプリング端部２２を押圧部１２に突き当て、スプリング端部２１を回転させて引掛突起部１３に引っ掛ける。付勢力ｆが発生しているのでスプリング２０は開閉シャッタ１０に確実に装着され、スプリング端部２１を回転させて引掛突起部１３に引っ掛けるだけなので装着も極めて簡単である。なお、手で操作しやすいようにスプリング端部２１の先端を回転軸方向に折り曲げておくことが望ましい。また、引掛突起部１３の下端面（回転軸に対応した面）の角をテーパ状に形成し奥を若干窪ませることで、スプリング端部２１の引掛操作を容易にすることができる。
【００１７】
こうしてスプリング２０が装着された開閉シャッタ１０は、図１に示すように矢印Ａ方向から本体ケース３０のカード機器挿入口３１を内側から塞ぐように取り付けられ、開閉シャッタ１０の回転軸端部１１ａおよび１１ｂがそれぞれＵ字型シャッタ軸受け部３２ａおよび３２ｂにより回転可能に支持される。なお、本体ケース３０には、Ｕ字型シャッタ軸受け部３２ａに隣接した上部に開閉シャッタ１０の押圧部１２と対向してスプリング突当部３３が形成されている。
【００１８】
図３において、スプリング２０が装着された開閉シャッタ１０がＵ字型シャッタ軸受け部３２ａおよび３２ｂにより回転可能に支持されると、スプリング２０を矢印Ｂ方向にスライドさせ、スプリング端部２１を引掛突起部１３から外す。引掛端部１３から外れると、スプリング端部２１は付勢力ｆに従って回転し（ここでは約９０°回転）、スプリング突当部３３に突き当たり押圧する。他方のスプリング端部２２は押圧部１２をスライドして係止突起部１４で係止される。こうして、スプリング２０の付勢力ｆにより開閉シャッタ１０はカード機器挿入口３１を閉じる方向に安定的に付勢される。
【００１９】
このように、開閉シャッタ１０はスプリング２０の端部２１を引っ掛けて固定する機能を有する引掛突起部１３を具備し、スプリング２０を開閉シャッタ１０の回転軸端部１１ａへ挿入して端部２１を回転変形させて引っ掛けるだけで、開閉シャッタ１０とスプリング２０とを一体化した状態にすることができ、本体ケース３０に容易に実装することが可能となる。そして、実装後に、スプリング２０を回転軸１１ａに沿って矢印Ｂの方向へ移動させることで引掛突起部１３から外し、スプリング２０の回転弾性力により約９０°回転し位置が固定される。これによりスプリング２０の装着および位置決めが容易になり、また装着する際にスプリング２０の端部２１が開閉シャッタ部品から外れてしまう懸念を払拭することができる。したがって、カードが小型化しても組立工数の削減に繋がり経済的にも効果が得られる。また、開閉シャッタ１０がスプリング２０により閉じた状態で付勢されているので、シャッタのふらつきもなく安定した状態を維持できる。
【００２０】
２．第２実施形態
上述したように、スプリング２０を回転軸１１ａに沿って矢印Ｂの方向へ移動させることでスプリング２０の位置決めを容易に行うことができるが、この矢印Ｂ方向への移動を自動的に行うことも可能である。
【００２１】
図４（Ａ）および（Ｂ）に示すように、傾斜部を有する引掛解除部材３４を設ける。引掛解除部材３４は、カード機器挿入口３１のスプリング突当部３３の側であって、開閉シャッタ１０のＵ字型シャッタ軸受け部３２ａへの装着を妨げない位置に設けられ、その傾斜部はスプリング２０に当接して回転軸端部１１ａの外側へスライドさせるように形成される。
【００２２】
すなわち、図４（Ｂ）に示すように、スプリング２０が一体装着された開閉シャッタ１０がＵ字型シャッタ軸受け部３２ａおよび３２ｂに矢印Ｃ方向から近づくと、図４（Ｃ）に示すように、スプリング２０が引掛解除部材３４の傾斜面に当接し、開閉シャッタ１０が更に降下することで引掛解除部材３４の傾斜面により押されて矢印Ｄ方向にスライドする。また、引掛解除部材３４の傾斜部によりスプリング２０が軸方向内側には戻れない。これによって、スプリング端部２１が引掛突起部１３から自動的に外れ、付勢力ｆに従って回転してスプリング突当部３３に突き当たる。他方のスプリング端部２２も同様に押圧部１２をスライドして係止突起部１４で係止される。
【００２３】
このように引掛解除部材３４を設けることで、スプリング２０を自動的にスライドさせて所定位置に設定することができ、かつ、所定位置に設定されたスプリング２０を逆戻りしないように阻止することができる。従って、開閉シャッタ１０の装着を容易にすると共に、スプリング２０の移動を阻止するので開閉シャッタの動作が安定する。
【００２４】
３．その他の実施形態
開閉シャッタ１０を付勢する付勢手段は、上述したコイル状のスプリング２０に限定されるものではなく、開閉シャッタ１０の回転方向に変形可能な弾性体を用いても同様の作用効果を得ることができる。
【００２５】
たとえば、図５に示すように、板バネ２５を回転軸端部１１ａと開閉シャッタの押圧部との間に設けられたスリットに差し込み、板バネ２５の上端を回転変形させて引掛突起部１３に引っ掛け、下端を押圧部１２に突き当ててもよい。あるいは、凹部を有する弾性板２６を回転軸端部１１ａに挿入し、その上端を回転変形させて引掛突起部１３に引っ掛け、下端を押圧部１２に突き当ててもよい。
【００２６】
また、図６に示すように、少なくともＵ字型シャッタ軸受け部３２ａを円筒状軸受け部３５に置き換えることも可能である。すなわち、円筒状軸受け部３５の軸受け凹部に開閉シャッタ部品１０の回転軸端部１１ａを矢印Ａ’方向から挿入し、他方の回転軸端部１１ｂをＵ字型シャッタ軸受け部３２ｂにより支持してもよい。
【００２７】
さらに、第２実施形態のように引掛解除部材３４を設ける代わりに、図７（Ａ）に示すように、組付け時に開閉シャッタ１０をＥ方向に撓ませることでスプリング２０を自動的に組み付けることもできる。すなわち、図７（Ｂ）に示すように、開閉シャッタ１０をＥ方向に撓ませることで回転軸端部１１ａが斜めになり、装着されたスプリング２０が滑って自動的にスプリング２０を矢印Ｆ方向にスライドする。これによりスプリング端部２１が引掛突起部１３から自動的に外れ、付勢力ｆに従って回転してスプリング突当部３３に突き当たり、組付けが完了する。
【００２８】
４．適用例
上述した実施形態による開閉シャッタ構造は、モデムやルータなどの通信機器に適用可能である。
【００２９】
図８および図９に示すように、通信機器の本体ケース３０の上面３６にカード機器挿入口３１を設け、その内側に上記開閉シャッタ１０が上述したように装着されている。また、本体内部の回路基板３７にはカード接続部３８が設けられている。
【００３０】
通信機器の付加機能を実現するためのカード機器４０がカード機器挿入口３１に挿入されると、開閉シャッタ１０がスプリング２０の付勢力に抗して開き、カード機器４０の端子がカード接続部３８に電気的に接続される。また、カード機器４０が引き抜かれると、開閉シャッタ１０はスプリング２０の付勢力により閉じられる。
【産業上の利用可能性】
【００３１】
本発明は、付加機能を与えるためのカードを挿入する通信機器のカード挿入口に装着される開閉シャッタに適用可能である。
【符号の説明】
【００３２】
１０  開閉シャッタ
１１ａ、１１ｂ  回転軸端部
１２  押圧部
１３  引掛突起部
１４  係止突起部
２０  スプリング
２１、２２  スプリング端部
２５  弾性体
２６  板バネ
３０  本体ケース
３１  カード機器挿入口
３２ａ、３２ｂ  Ｕ字型シャッタ軸受部
３３  スプリング突当部
３４  引掛解除部材
３５  円筒状軸受部
３６  本体ケース上面
３７  回路基盤
３８  カード接続部
４０  カード機器
【図１】
2010262956.tif 000003
【図２】
2010262956.tif 000004
【図３】
2010262956.tif 000005
【図４】
2010262956.tif 000006
【図５】
2010262956.tif 000007
【図６】
2010262956.tif 000008
【図７】
2010262956.tif 000009
【図８】
2010262956.tif 000010
【図９】
2010262956.tif 000011